(57)【特許請求の範囲】
【請求項１】
太陽電池と、ムーブメントと、前記太陽電池及び前記ムーブメントを収容位置決めし、外装ケースの内面に当接される支持枠体とを有する太陽電池付き時計であって、
前記ムーブメントには、前面側に外周段部が設けられており、
前記支持枠体には、
前記ムーブメントを前面側から収容する開口を備えた収容部と、
前記ムーブメントを背面側から支持する支持段部と、
前記外周段部に前面側から係合する係合フックと、
前記太陽電池の受光面側の外縁部を保持する第２フックと、
を一体に備えていることを特徴とする太陽電池付き時計。
【請求項２】
請求項１おいて、前記ムーブメントと前記太陽電池とは、直接相互に重なり合うように配置されていることを特徴とする太陽電池付き時計。
【請求項３】
請求項１又は請求項２において、前記太陽電池の受光面側には透光板が配置され、前記支持枠体には、前記透光板を保持するための第３保持構造が設けられていることを特徴とする太陽電池付き時計。
【請求項４】
請求項３において、前記第３保持構造には、前記透光板を前記太陽電池の受光面側から受け入れ可能に構成され、前記透光板の外縁部を保持するための係合フックが設けられていることを特徴とする太陽電池付き時計。
【請求項５】
請求項３又は請求項４において、前記透光板は、透光性部材と、該透光性部材の外縁部に取り付けられた取付枠とを有し、該取付枠が前記第３保持構造によって保持されていることを特徴とする太陽電池付き時計。
【請求項６】
請求項５において、前記取付枠が前記太陽電池に当接して、前記太陽電池の受光面と前記透光性部材との間に間隙が形成されていることを特徴とする太陽電池付き時計。
【請求項７】
請求項６において、前記取付枠と前記太陽電池との間に緩衝材が介在していることを特徴とする太陽電池付き時計。
【請求項８】
請求項１乃至請求項７のいずれか１項において、前記支持枠体は、外装ケースにより位置決めされていることを特徴とする太陽電池付き時計。
【発明の詳細な説明】
【０００１】
【発明の属する技術分野】
本発明は太陽電池付き時計に係り、特に、太陽電池によって発電された電力を用いて駆動される腕時計を構成する場合に好適な時計構造に関する。
【０００２】
【従来の技術】
一般に、腕時計の本体構造においては、外装ケースの内部において位置決めされる中枠によってムーブメントを支持し、このムーブメントの前面側、すなわち表示窓が設けられている側に文字板が取り付けられる。
【０００３】
ところで、上記の腕時計としては、太陽電池を内蔵し、太陽電池が発電した電力によって動作する太陽電池付き腕時計が知られている。この太陽電池付き腕時計においては、外装ケースの内部にムーブメントを収容し、このムーブメントの前面側に薄板状の太陽電池が配置される。この場合、太陽電池の受光面が表示窓を通してそのまま視認できるように露出した状態で設置される場合もあるが、多くの場合、上記の文字板の代替物として、半透明のプラスチックやセラミックなどからなる透光板が太陽電池の受光面を覆うように配置される。
【０００４】
太陽電池の上に透光板を配置した構造の表示部を備えた太陽電池付き腕時計としては、ムーブメントの地板上に太陽電池を保持する太陽電池受け部材を取り付け、この太陽電池受け部材に太陽電池を装着した後、さらにその前面側に透光板を配置するものがある。このような構造は、例えば特開平１０−２３９４５３号公報に記載されている。この公報に記載された構造では、太陽電池受け部材の背面側の部分にムーブメントに対する係合部を設け、太陽電池受け部材の前面側の部分に太陽電池を係合保持する係合フックと、透光板を係合保持する係合フックとを設けている。したがって、この太陽電池受け部材を用いることにより、ムーブメント、太陽電池及び透光板を一体的に保持することが可能になる。
【０００５】
【発明が解決しようとする課題】
しかしながら、上記従来の太陽電池付き腕時計においては、外装ケースの内部において、背面側（裏蓋側）から前面側（表示窓側）へ向けて、中枠、ムーブメント、太陽電池受け部材、太陽電池、透光板が順次に配置されているので、時計本体の厚さを低減することが難しいという問題点がある。
【０００６】
また、太陽電池付き腕時計の場合、通常の電池式腕時計に比べて表示部周りの部品点数が増加するため、組立作業が煩雑になるという問題点もある。
【０００７】
さらに、上記透光板にはセラミックスやガラスなどの脆性材料が用いられる場合があり、このような脆性材料を透光板に用いる場合には、透光板の損傷を防止するために緩衝構造を設ける必要があるので、なおさら時計本体が厚くなってしまう。
【０００８】
そこで本発明は上記問題点を解決するものであり、その課題は、太陽電池付き時計において、従来よりも薄型に構成することのできる本体構造を提供することにある。また、本発明の他の目的は、部品点数を削減し、容易に組立作業を行うことができる本体構造を提供することである。さらに、本発明の別の目的は、耐衝撃性の高い本体構造を提供することである。
【０００９】
【課題を解決するための手段】
本発明の太陽電池付き時計は、太陽電池と、ムーブメントと、前記太陽電池及び前記ムーブメントを収容位置決めし、外装ケースの内面に当接される支持枠体とを有する太陽電池付き時計であって、前記ムーブメントには、前面側に外周段部が設けられており、前記支持枠体には、前記ムーブメントを前面側から収容する開口を備えた収容部と、前記ムーブメントを背面側から支持する支持段部と、前記外周段部に前面側から係合する係合フックと、前記太陽電池の受光面側の外縁部を保持する第２フックと、を一体に備えていることを特徴とする。
ここで、太陽電池とムーブメントとの間を導電接続するための導通部が設けられている場合には、この導通部の近傍に上記第２フックを配置することが、導通部の導電接続状態の信頼性を得るために望ましい。
【００１０】
支持枠体は支持段部によりムーブメントを保持したので、従来のように中枠によってムーブメントを位置決めした上で、このムーブメントに装着した太陽電池受け部材を介して太陽電池を取り付ける必要がなくなり、外装ケース内の内部構造を薄型化することが可能になる。また、支持枠体、ムーブメント及び太陽電池を組立時において一体化し、この一体化したものをそのまま外装ケースに収容すれば時計の組立が完了するので、組立作業を容易に行うことができる。さらに、ムーブメント、太陽電池及び支持枠体が相互に保持されているので、各構成部材の耐衝撃性を高めることができる。さらに、第２保持構造により、太陽電池とムーブメントとの間に配置される接点バネ（導通バネ）の応力（弾性力）に抗して太陽電池を保持することができるので、指針の取り付け作業を容易に行うことができる。
さらに、ムーブメントを前面側から支持枠体の収容部内へ受け入れることができるので、支持枠体に対するムーブメントと太陽電池の装着方向が同一となるから、組立作業をさらに容易化できる。また、支持枠体から見てムーブメントと太陽電池をいずれも前面側に保持するように構成できるので、内部構造の厚さ寸法をさらに低減することが可能になる。
さらに、係合フックと太陽電池との間に隙間があること、すなわち係合フックがムーブメントの前面より背面側に設けられていることにより、ムーブメントと太陽電池との間に支持枠体の一部を介在させなくても、係合フックが太陽電池に当接することがないので、ムーブメントと太陽電池との間に間隙を設けることなく配置することが可能になり、内部構造を薄型化できる。
さらに、前記第２フックにより、ムーブメントと太陽電池との間に支持枠体の構造部分を介在させる必要がなくなるので、内部構造をさらに薄型化できる。
【００１１】
支持枠体は、例えば合成樹脂などによって形成されることが望ましく、射出成形法などによって一体成形されることが望ましい。
【００１７】
前記第２フックは、前記外装ケースの内面に背面側から当接していることが望ましい。これにより、支持枠体が外装ケース内部で前面側にも支持されているので、ムーブメントや太陽電池などの内部構造の構成部材に伝わる衝撃を第２フックの弾性及び支持枠体によって緩和することができる。
【００１８】
前記ムーブメントと前記太陽電池とは、直接相互に重なり合うように配置されていることが好ましい。すなわち、ムーブメントの前面と太陽電池の背面とが相互に対向配置され、若しくは相互に接触していることが好ましい。これにより、ムーブメントと太陽電池との間に他の部材が介在しないので、内部構造を薄型化することができる。
【００１９】
前記太陽電池の受光面側には透光板が配置され、前記支持枠体には、前記透光板を保持するための第３保持構造が設けられていることが好ましい。
【００２０】
前記第３保持構造には、前記透光板を前記太陽電池の受光面側から受け入れ可能に構成され、前記透光板の外縁部を保持するための係合部を有する第３の係合フックが設けられていることが好ましい。
【００２１】
前記第３の係合フックは、前記外装ケースの内面に背面側から当接していることが望ましい。第３の係合フックが外装ケースに当接していることにより、支持枠体が外装ケースによって前面側から支持されていることとなるので、ムーブメント、太陽電池、透光板等に対する衝撃力を第３の係合フックの弾性及び支持枠体によって緩和することができる。
【００２２】
前記透光板は、透光性部材と、該透光性部材の外縁部に取り付けられた取付枠とを有し、該取付枠が前記第３保持構造によって保持されていることが好ましい。取付枠を介して透光性部材を保持固定することによって、衝撃力を受けた場合の透光性部材の損傷を低減でき、耐衝撃性を向上することができる。特に透光性部材がガラス、貝材、セラミックス材等の脆性材料で構成されている場合にはその割れを防止するために効果的である。取付枠は金属材料などの高い剛性と弾性を備えたもので構成することが望ましい。合成樹脂で構成してもよい。
【００２３】
前記取付枠が前記太陽電池に当接して、前記太陽電池の受光面と前記透光性部材との間に間隙が形成されていることが好ましい。間隙によって透光板が太陽電池に直接接触していないことから、取付枠を介して応力が伝達されるので、ムーブメントや太陽電池が配置された側から衝撃力を受けにくくなり、耐衝撃性を向上できる。
【００２４】
ここで、前記取付枠と前記太陽電池との間に緩衝材が介在していることが耐衝撃性をさらに向上させるうえで好ましい。緩衝材は、ＰＥＴ（ポリエチレンテレフタレート）その他の合成樹脂、ゴム等の弾性材料によって構成することが望ましい。
【００２５】
上記の支持枠体は、外装ケースにより位置決めされていることが好ましい。ここで、外装ケースとは、例えば腕時計の場合には胴、ガラス縁、裏蓋などの各種外装部材によって適宜に構成されるケース体を言う。
【００２６】
なお、上記第２フックと第３の係合フックとは、前記支持枠体の外周部において周回方向に見て異なる位置にそれぞれ複数設けられていることが望ましい。また、上記第１フック、第２フック及び第３の係合フックは、それぞれ、弾性変形可能な構造となっていることが望ましく、また、上記支持枠体に一体に設けられていることが望ましい。
【００２７】
【発明の実施の形態】
次に、添付図面を参照して本発明に係る太陽電池付き時計の実施形態について詳細に説明する。以下に詳述する実施形態は腕時計の本体構造について本発明を適用した例を示すものであるが、本発明は腕時計に限らず、懐中時計その他の携帯時計、その他の各種時計にも同様に適用できるものである。
【００２８】
図１は、本実施形態の太陽電池付きの腕時計１００の内部構造を１２時又は６時方向の切断面にて示すとともに、その一部を１時、２時、７時、１１時方向の切断面にて示した縦断面図である。また、図２は、腕時計１００の内部構造を、後述する支持枠体の底部に複数設けられた押上構造部における切断面にて示した縦断面図である。
【００２９】
本実施形態の外装ケース１１０は、環状に形成された胴１１１と、胴１１１の前面側に取り付けられたガラス縁１１２と、胴１１１の背面側に取り付けられた裏蓋１１４とからなる。ガラス縁１１２にはガラス等からなる透明な表示窓１１３が取り付けられている。なお、本発明の外装ケースとしては、裏蓋のない、いわゆるワンピース型のケース体や、ガラス縁を有しないケース体など、どのような構造のものであっても構わない。
【００３０】
外装ケース１１０の内部には、ムーブメント１２０と、合成樹脂を射出成形法等によって一体成形してなる支持枠体１３０と、この支持枠体１３０の前面側に係合保持された薄板状の太陽電池１４０と、太陽電池１４０のさらに前面側に係合保持された透光板１５０とが収容されている。
【００３１】
ムーブメント１２０は、合成樹脂等によって形成された地板１２１に多数の部品が組み込まれて成るものであって、太陽電池１４０にて発電された電力を蓄積するための大容量コンデンサや化学２次電池等からなる蓄電手段１２２を備え、また、図示しない時計制御回路や駆動モータなどを内蔵している。この駆動モータは時計制御回路の制御下において指針部１２３に設けられた指針１２３ａ（時針、分針等）を運針させる。
【００３２】
支持枠体１３０は、ムーブメント１２０を前面側から収容するための収容空間を形成する収容孔１３１を備えている。収容孔１３１の前面側に設けられた開口部はムーブメント１２０を導入可能に構成されている。また、この収容孔１３１の内周面には前面側に向いた支持段部１３１ａが設けられている。この支持段部１３１ａは、ムーブメント１２０の地板１２１等に形成された外周段部１２１ａに当接し、ムーブメント１２０を背面側から支持している。
【００３３】
収容孔１３１の周囲には、複数（図示例では１２時側及び６時側の２箇所にそれぞれ一つずつ計２個）の係合フック１３２が設けられ、これらの係合フック１３２の係合端は内周側に突出し、背面側に向いた係合面を備えている。係合フック１３２はムーブメント１２０の外周部に設けられた外周段部１２１ｂに前面側から係合している。係合フック１３２はムーブメント１２０の径方向、すなわち図示左右方向に出没可能に弾性変形するように構成されているので、ムーブメント１２０を前面側から支持枠体１３０の収容孔１３１内に導入し、軽く押し入れると、自動的に係合フック１３２が弾性変形して外周段部１２１ｂに係合するようになっている。
【００３４】
上記のように、ムーブメント１２０は、支持枠体１３０の支持段部１３１ａと係合フック１３２とによって背面側及び前面側の双方から係合保持され、また、支持枠体１３０の内側面１３２ｂによって水平方向に弾性支持されているので、支持枠体１３０に対して一体化される。さらに、ムーブメント１２０は、支持枠体１３０に形成された位置決め用突起１３８とムーブメント１２０の図示しない穴若しくは凹部との嵌合によって回転方向に規制される。
【００３５】
支持枠体１３０の収容孔１３１の外周側の部分は全体として環状の枠体部１３３となっており、枠体部１３３の前面１３３ａはほぼ平坦に形成され、この前面１３３ａ上に後述する係合フック１３４，１３５が形成されている。一方、枠体部１３３の底部には、図２に示すように、内側押上バネ部１３３ｃ及び外側押上バネ部１３３ｄが突出形成されている。これらの押上構造部は、内側押上バネ部１３３ｃ及び外側押上バネ部１３３ｃの上部において枠体部１３３の内外方向に貫通する貫通孔を形成することによって、図示上下方向の弾性変形が可能になるように一体に形成されたものである。上記の内側押上バネ部１３３ｃ及び外側押上バネ部１３３ｄは、枠体部１３３の底部における周回方向の複数箇所に分散して形成されている。
【００３６】
枠体部１３３の前面１３３ａは全体的に平坦に形成され、収容孔１３１内に収容されたムーブメント１２０の上面とほぼ面一になるように形成されている。この前面１３３ａには、周回方向の複数箇所にそれぞれ係合フック１３４，１３５が前面側に突出するように設けられている。これらの係合フック１３４，１３５は、それぞれ背面側に向いた係合面を備えている。係合フック１３４は、太陽電池１４０の外縁部を前面側から係合保持するように構成され、係合フック１３５は、透光板１５０の外縁部を前面側から係合保持するように構成されている。
【００３７】
図３は、支持枠体１３０の平面図及び各部の断面図を示すものである。枠体部１３３の前面１３３ａにおいて、上記の係合フック１３４と係合フック１３５とは、相互に異なる周回方向の位置に設けられている。
【００３８】
また、前面１３３ａには、断面半円形の複数の位置決め突起１３７が設けられている。この位置決め突起１３７は、太陽電池１４０と透光板１５０の双方の外縁部に係合し、太陽電池１４０と透光板１５０の双方の姿勢を位置決めするためのものである。
【００３９】
なお、支持枠体１３０の枠体部１３３には、背面側に開口する環状溝１３３ｂが設けられている。この環状溝１３３ｂは、リング状の接点バネ１２４を収容保持するためのものである。
【００４０】
太陽電池１４０は、薄いステンレス鋼板の表面上にアモルファス等の半導体層を積層してＰＩＮ構造を形成し、表面にＩＴＯ（インジウムスズ酸化物）等の透明導電体からなる透明電極を形成したものである。図４（ａ）に示すように、太陽電池１４０は、それぞれが上記の積層構造を有する複数（図示例では４つ）の分割部１４１が平面的に分割された状態で形成されている。これらの分割部１４１は接続パターン１４２を介して相互に直列に導電接続され、この直列回路の両端部が端子パターン１４３，１４４に導電接続されている。これらの端子パターン１４３，１４４はステンレス鋼板を貫通し、その裏面上に設けられた図示しない接続端子部に導電接続されている。
【００４１】
太陽電池１４０の外縁には、上記接続パターン１４２が形成された張出縁部１４５が複数（図示例では３つ）設けられ、さらに、１２時側の外縁部に上記端子パターン１４３，１４４が形成された張出縁部１４６が設けられている。上記の張出縁部１４５の周回方向の両端部には、それぞれ外縁が凹形状に形成されてなる切り欠き部１４５ａが設けられている。
【００４２】
なお、太陽電池１４０としては、上記のようにステンレス鋼板を基板として形成されたものに限られず、半導体基板を用いたもの、ガラス基板やセラミックス基板を用いたもの、合成樹脂等からなるフィルム基板を用いたものなど、種々の構造のものを用いることができる。
【００４３】
一方、透光板１５０は、アクリル樹脂、ポリカーボネート樹脂、各種ガラス、セラミックス等の種々の材質の透明材料、半透明材料などで構成することができる。また、必要に応じて前面若しくは背面上に所定の模様、文字等を構成する被着層を塗布、印刷、接着等の方法により形成してもよい。図示例の透光板１５０は、透明樹脂若しくは白色等の微粒子を混入した透明樹脂などで形成された半透明の透光性基板１５１の前面上に、白蝶貝などの貝材の薄板１５２を貼着し、その上に適宜に印刷を施したものであって、全体として半透明の外観を呈するものである。
【００４４】
透光板１５０の平面形状を図４（ｂ）に示す。透光板１５０の外縁には、相互に対向する位置（図示例では１時半及び７時半方向の外縁部２箇所）に一対の張出縁部１５１が設けられ、また、相互に対向する位置（図示例では４時及び１０時方向の外縁部２箇所）に一対の張出縁部１５２が設けられている。張出縁部１５２の中央部分には、凹状の外縁形状を備えた切り欠き部１５２ａがそれぞれ形成されている。
【００４５】
図５には、上記支持枠体１３０にムーブメント１２０、太陽電池１４０及び透光板１５０を装着して一体化したものの平面透視図を示す。ムーブメント１２０は、前面側（図の紙面に対し手前側）から支持枠体１３０の収容孔１３１内に押し込まれ、その内縁部に設けられた上記の支持段部１３１ａに支持された状態になると同時に、係合フック１３２が外周段部１２１ｂに係合して保持された状態になる。ここで、ムーブメント１２０の前面と枠体部１３３の前面１３３ａとはほぼ面一になるとともに、係合フック１３２は双方の前面よりも前面側に突出しないように形成されているので、ムーブメント１２０の前面及び枠体部１３３の前面１３３ａによってほぼ平坦な支持面が構成される。
【００４６】
次に、上記ムーブメント１２０及び枠体部１３３の前面上に太陽電池１４０を載せ、その外縁に形成された張出縁部１４５の両側の切り欠き部１４５ａの一部及び張出縁部１４６の両側縁部を押圧して、係合フック１３４を弾性変形させ、太陽電池１４０の外縁を係合フック１３４の係合面の下に押し込む。このとき、太陽電池１４０の外縁にある、上記係合フック１３４に対応していない位置に設けられた切り欠き部１４５ａを位置決め突起１３７に合わせるようにして位置決めした状態で、太陽電池１４０を枠体部１３３に装着する。
【００４７】
上記の太陽電池１４０の取り付けに際しては、ムーブメント１２０内に設けられた接点端子（図示せず）を内蔵するガイド孔１２６ａ，１２６ｂ内に、コイル状の導通バネ１２７ａ，１２７ｂを入れ、その上から太陽電池１４０を装着する。このようにすることによって、太陽電池１４０とムーブメント１２０との間において、導通バネ１２６ａ，１２６ｂが、ムーブメント１２０の接点端子と太陽電池１４０の裏面上に形成された上記の接続端子部とを導電接続させる。ここで、ムーブメント１２０の接点端子と太陽電池１４０の接続端子部とは共に時計の１２時半から１時半方向までの範囲内に配置されており、これに対して枠体部１３３上に設けられた係合フック１３４のうちの一つは時計の１時方向に設けられている。したがって、太陽電池１４０の係合フック１３４がムーブメント１２０と太陽電池１４０との導電接続部の近傍に設けられていることとなるので、この係合フック１３４によって太陽電池１４０の外縁部を係合保持することによって、ムーブメント１２０と太陽電池１４０との導電接続の信頼性を高めることができる。また、この係合フック１３４によって導通バネ１２６ａ，１２６ｂのバネ応力に逆らって太陽電池１４０を枠体部１３３の前面１３３ａ上に押え付けることができるので、太陽電池１４０や透光板１５０がムーブメント１２０上において導通バネ１２６ａ，１２６ｂによって浮き上がるということがなくなるため、指針の取り付け時の作業性を向上させることができる。
【００４８】
次に、太陽電池１４０の上に透光板１５０を押し付け、透光板１５０の外縁の張出縁部１５１を枠体部１３３上の係合フック１３５に係合させる。このとき、透光板１５０の張出縁部１５２に設けられた切り欠き部１５２ａを位置決め突起１３７に嵌合するように位置決めした状態で、透光板１５０を装着する。
【００４９】
このようにして組み立てられた内部構造は、胴１１１にガラス縁１１２を接合一体化した外装ケース内に背面側から導入され、その後、裏蓋１１４を胴１１１内に嵌入させることにより、裏蓋１１４によって支持枠体１３０が前面側に押し上げられ、透光板１５０の外縁部がガラス縁１１２の内面に当接した状態となる。このとき、支持枠体１３０の底部に設けられた上記押上構造部の弾性変形により、内部構造がガタなく外装ケース１１０内に収容固定されるようになっている。このとき、支持枠体１３０は、その外周面が外装ケース１１０の内面に当接することによって水平方向（平面方向）に位置決めされている。
【００５０】
本実施形態においては、上述のように、支持枠体１３０に対して同じ方向からムーブメント１２０、太陽電池１４０、透光板１５０を順次装着していくことによって内部構造を組み立てることができるので、組立作業が容易になり、組立の自動化も容易である。また、ムーブメント１２０、支持枠体１３０、太陽電池１４０、透光板１５０が全て一体化されるので、製造工程中のハンドリング性を高めることができる。
【００５１】
また、上記の内部構造においては、支持枠体１３０に装着されたムーブメント１２０の前面と、太陽電池１４０の背面とが支持枠体１３０を介することなく対向配置され、或いは相互に接触している。したがって、従来構造のようにムーブメントと太陽電池との間に受け部材が介在することはないので、支持枠体１３０によって一体化された内部構造の厚さを低減することができ、従来よりも大幅に薄い太陽電池付き腕時計を製造することが可能になった。ここで、ムーブメント１２０の前面と太陽電池１４０の背面とが直接に接触していてもよく、或いは、両者の間に僅かな間隙が形成されていてもよい。後者の場合には、枠体部１３３の前面１３３ａを、ムーブメント１２０の前面よりも僅かに前面側に位置するように形成すればよい。
【００５２】
次に、図６を参照して本発明に係る太陽電池付き腕時計の変形例について説明する。この変形例において、上記実施形態と同一の構造を有する構成部材には同一符号を付し、その説明は省略する。
【００５３】
この変形例においては、図６に示すように、組立状態において、支持枠体１３０に設けられた係合フック１３４，１３５（１３５は図示せず）の先端部がガラス縁１１５の内面に背面側から当接するように構成されている。
【００５４】
また、太陽電池１４０の前面側には、上記実施形態とは異なる構造を備えた透光板１６０が配置されている。透光板１６０は、セラミックスやガラス等の脆性材料からなる透光性基板１６１と、この透光性基板１６１の表面上に接着固定された貝や金属リングなどからなる部材１６２と、透光性基板１６１の外縁部に接着固定された、金属材料からなる外周リング１６３とから構成されている。
【００５５】
外周リング１６３は、ＰＥＴ（ポリエチレンテレフタレート）等の樹脂シート等からなる緩衝材１６４を介して太陽電池１４０の前面に接触している。また、上記の支持枠体１３０に設けられた係合フック１３５（図示せず）は、外周リング１６３を係合保持している。この外周リング１６３及び緩衝材１６４の存在によって、太陽電池１４０と透光性基板１６１との間に間隙Ｇ１が形成されるようになっている。また、外周リング１６３は、ガラス縁１１５の内面に対して僅かな隙間Ｇ２を介して背面側から対向するように構成されている。
【００５６】
この変形例では、外周リング１６３及び緩衝材１６４からなる支持構造を設けることによって、太陽電池１４０と透光板１６０の透光性基板１６１との間に間隙Ｇ１が形成されているので、衝撃を受けた時にムーブメント１２０や太陽電池１４０が上方向へ変形、移動することにより、これらから透光性基板１６１へ伝達される応力を防止若しくは低減することができ、透光性基板１６１の破損を防止し、内部構造の耐衝撃性を向上することができる。
【００５７】
この変形例においては、係合フック１３４，１３５の先端がガラス縁１１５の内面に背面側から当接しているので、支持枠体１３０は、外装ケース１１０内において水平方向のみならず、上下方向にも位置決め固定されている。したがって、外装ケース１１０内の内部構造は、全て支持枠体１３０を介して位置決めされていることとなるため、時計本体が衝撃を受けたときに、支持枠体１３０によって衝撃が吸収され、その他の構成部材、ムーブメント１２０、太陽電池１４０及び透光板１６０へ伝達される衝撃力を低減することができる。
【００５８】
特に、支持枠体１３０の係合フック１３４，１３５が外装ケース１１０の内面に当接していることによって、係合フック１３４，１３５の弾性変形によって支持枠体１３０自体が受ける衝撃を緩和することができるという利点がある。
【００５９】
また、衝撃が強い場合には、上記の間隙Ｇ２を介して対向配置された外周リング１６３にも外装ケースのガラス縁１１５の内面が当接し、衝撃力の一部を分担するので、内部構造全体としての耐衝撃性を高めることができる。
【００６０】
また、前面１３３ａ上において係合フック１３４，１３５以外の突起を形成して、当該突起の高さを係合フック１３４，１３５と同じ高さ若しくはそれ以上の高さとし、当該突起により衝撃を吸収するようにしてもよい。
【００６１】
次に、図７を参照して上記実施形態のさらに別の変形例について説明する。この変形例において、上記実施形態と同一の構造部材については同一符号を付し、その説明は省略する。
【００６２】
この変形例においては、図６に示す変形例と同様に、太陽電池１４０上に上記と同様の緩衝材１６４と、外周リング１６３とを介して透光性基板１６１が配置されている。図示のように、外周リング１６３は係合フック１３５に係合し、これによって透光板１６０が支持枠体１３０に係合保持されている。
【００６３】
また、この変形例でも、係合フック１３４，１３５（１３４は図示せず）の先端がガラス縁１１６の内面に当接し、これによって支持枠体１３０が外装ケース１１０内において上下方向にも位置決めされている。
【００６４】
この変形例に対して強い衝撃力が加わると、上記と同様に、係合フック１３４，１３５の上端に応力が伝わり、係合フック１３４，１３５の弾性変形によって衝撃力が緩和される。また、この変形例においては、係合フック１３５の係合端によって外周リング１６３が支持されているので、透光板１６０に対する応力集中を防止することができる。
【００６５】
この変形例においても、図６に示す変形例と同様に、係合フック１３４，１３５以外の突起を設け、当該突起によって衝撃を吸収するようにしてもよい。
【００６６】
尚、本発明の実施態様は、上述の図示例にのみ限定されるものではなく、本発明の要旨を逸脱しない範囲内において種々変更を加え得ることは勿論である。
【００６７】
【発明の効果】
以上、説明したように本発明によれば、太陽電池付き時計構造の薄型化を図ることができるとともに、組立作業を容易化することができ、さらに、耐衝撃性の向上を期することも可能である。
【図面の簡単な説明】
【図１】本発明に係る太陽電池付き時計の実施形態の構造を示す縦断面図である。
【図２】図１とは異なる部位について同実施形態の構造を示す縦断面図である。
【図３】同実施形態における支持枠体の構造を示す平面図及び支持枠体のＡ−Ａ’線、Ｂ−Ｂ’線、Ｃ−Ｃ’線、Ｄ−Ｄ’線、Ｅ−Ｅ’線、Ｆ−Ｆ’線に沿った切断面を示す各断面図である。
【図４】同実施形態における太陽電池の平面図（ａ）及び透光板の平面図（ｂ）である。
【図５】同実施形態における組立状態の内部構造を示す透視平面図である。
【図６】同実施形態の変形例を示す縦断面図である。
【図７】同実施形態の別の変形例を示す縦断面図である。
【符号の説明】
１００  腕時計
１１０  外装ケース
１１１  胴
１１２、１１５，１１６  ガラス縁
１１３  表示窓
１１４  裏蓋
１２０  ムーブメント
１２１  地板
１２１ａ，１２１ｂ  外周段部
１３０  支持枠体
１３１  収容孔（収容部）
１３１ａ  支持段部
１３２  係合フック（第１フック）
１３３  枠体部
１３３ａ  上面
１３４  係合フック（第２フック）
１３５  係合フック（第３フック）
１３６，１３７  位置決め突起
１４０  太陽電池
１５０，１６０  透光板
１６１  透光性基板
１６２  貝材
１６３  外周リング
１６４  緩衝材
【図１】
0003633446.tif 000002
【図２】
0003633446.tif 000003
【図３】
0003633446.tif 000004
【図４】
0003633446.tif 000005
【図５】
0003633446.tif 000006
【図６】
0003633446.tif 000007
【図７】
0003633446.tif 000008